(57)【要約】【課題】バッグ類の引ったくりに有効なる握りを提供する。【解決手段】適宜長の中空体よりなる握り本体を設け、発音と発音制御機構を内蔵した発音箱を握り本体適所に設け、握り本体各所に発音開始のためのスイッチを設けるとともに発音箱内とスイッチを配線し、握り本体を握った指によるスイッチ作動にて発音を可能とするよう構成したことを特徴とする。【選択図】      図６
2005276147.tif 000002
【特許請求の範囲】
【請求項１】
適宜長の中空体よりなる握り本体を設け、発音と発音制御機構を内蔵した発音箱を握り本体適所に設け、握り本体各所に発音開始のためのスイッチを設けるとともに発音箱内とスイッチを配線し、握り本体を握った指によるスイッチ作動にて発音を可能とするよう構成したことを特徴とする防犯用握り。
【発明の詳細な説明】
【技術分野】
【０００１】  この発明は、発音による防犯機能を有する握りに関する。
【背景技術】
【０００２】  従来より、カバン、ハンドバッグ、トートバッグ等は手にぶら下げて使用するための握り部分があるが、本発明にて示すように、この握り部分に発音機能を内蔵したものは現在のところ見当たらない。
【発明の開示】
【発明が解決しようとする課題】
【０００３】  以前より巷ではひったくり事件が発生し、紙面をにぎわせている。
これはバッグを手に提げて歩行中に、後ろから来た何者かがこのバッグをつかみ取って逃走するもので、これに対する有効な防止手段は見当たらず、せいぜいバッグ等を両手で抱えて歩くくらいのものであり、その対策に苦慮しているのが現状である。
本発明は、以上のようなバッグ類のひったくりに対応すべく発明されたもので、握りに発音機能および発音継続機能を内蔵することにより、事件発生後の継続発音にて周囲に事件発生と盗難物の所在を明らかにし、盗難物の所持を困難にして盗難品の回収を容易にし、犯人拘束にも役立つ有益なる物品を提供することを目的としたものである。
【課題を解決するための手段】
【０００４】  課題を解決する手段として本発明は、握り本体に発音箱とスイッチを設けてその主要部を構成した。
すなわち、適宜長の中空体よりなる握り本体を設け、発音と発音制御機構を内蔵した発音箱を握り本体適所に設け、握り本体各所に発音開始のためのスイッチを設けるとともに発音箱内とスイッチを配線し、握り本体を握った指によるスイッチ作動にて発音を可能とするよう構成する。本発明は以上の構成よりなる防犯用握りである。
【発明の効果】
【０００５】  本発明によれば、バッグ類に握り本体を取り付けて使用し、非常時にスイッチ作動にて発音開始し、この発音は発音箱内の停止スイッチを押すまで継続するので、ひったくられたバッグの保持者とそのバッグの所在を周囲に知らせることとなるため、犯人はそのバッグを放棄せざるを得なくなり、バッグ回収に有効であるとともに犯人特定も容易となる新規かつ有益なる物品を提供することができる。なお、複数のスイッチを設けることで、とっさの場合にも発音させやすくなる。
【発明を実施するための最良の形態】
【０００６】  以下、本発明の実施形態について説明する。
図において、１は合成樹脂製の握り本体で、曲面部分を有する側面視略コ字形の細長中空体である。２は中央凸部で、握り本体のほぼ中央上面に一体に形成される略台形状部分で、その側面には押圧スイッチ３が設けられる。４は前方凸部で、握り本体前方上面に一体に形成される変形台形状部分で、その側面に押圧スイッチ５が設けられる。
６は下方凸部で、握り本体下面の前方寄りの位置に設けられる。７は内部スイッチで、握り本体下部中空部の内部前方に位置し、板状の接触子８が、下部中空部側面のスリットから突出し、この接触子に小環体９が係止される。
１０は握り本体後部上面に設けられる発音箱である。
この発音箱は一方に開口を有する外箱１１内に引き出し状の内箱１２がスライド可能に位置し、内箱には電池部１３、発音部（市販ブザー等）を含む制御部（制御回路含む）１４、制御部より突出している停止スイッチ１５が位置している。また、外箱の開口部近傍の上面から下方に向けて雌ネジを刻設した保持板１６が設けられ、内箱にも雌ネジが刻設され、これらの雌ネジに雄ネジ１７が螺着している。従って、雄ネジをゆるめて外すことで内箱を引き出し、電池交換や停止スイッチの作動を行うことができる。
なお、握り本体下部の下部中空部には貫通孔２０が穿設される。また、各スイッチと制御部および電池部は配線される。【０００７】  本発明を使用するには、まず雄ネジをゆるめて内箱を引き出し、電池残量を確認後、内箱を元に戻して雄ネジを締めておく。次ぎに、例えばハンドバッグの場合は、手提げ部分に複数個の孔を穿設し、下部中空部の貫通孔に孔位置を合わせ、ビスとナットにて螺着して握り本体にハンドバッグ手提げ部分を固定する。これを図６にて示すように左手で持ち、通行する。このとき、親指の左側は押圧スイッチ５に近接し、中指端は押圧スイッチ３に近接している。
そしてこの状態で引ったくりに合ったとき、手は無意識に握りしめようとして各押圧スイッチを押圧し、発音箱内の発音体は発音し制御回路が作動してその発音が継続する。
そのため、大音量で鳴り続けるバッグの所持が困難となり、この発音を止めるには２本の雄ネジをゆるめて内箱を引き出し、停止スイッチを押さねばならないが犯人にはその機能が知らされていない上、その作業には所定の時間を要するため、犯人はバッグ所持を放棄することとなる。従って、バッグの回収が容易となり、また犯人特定も容易となる。
さらに本例では内部スイッチを作動させるための小環体が設けられており、この小環体に適宜長の紐を結びつけておくことにより、この紐を軽く引く動作にても発音させることができる。この紐を環状にして指を通しておけば、引ったくられたときに小環体つまり接触子を引くこととなって内部スイッチが作動し、発音させることができる。なお、以上の各スイッチのいずれかが作動しても発音する構成である。【０００８】  なお、発音箱側面に細孔を複数個設けておけば、発音の漏洩にて外部への音量を増大させることができる。また、カバンのように専用の持ち手のある物品の場合は、その持ち手を外して下部中空部の両側に環体（図示略）を設けて、ここに接続して用いることができる。あるいは買い物袋などのような薄シート状の袋体の場合は、その持ち手を上部中空部と下部中空部間の隙間に入れて、手に持つことで吊下保持することができる。
なお、以上の例は左手で持つ場合の構成であるが、対称形に製作して右手用として用いることができる。本例では上方に２個の凸部、下方に１個の凸部を有し、この下方の凸部は握ったときに人差し指と中指の間に位置し、上方の凸部は親指の左方と親指付け根の右方に接するので、握り本体が滑り落ちにくく、よりしっかりと保持することができる。
以上のごとく、本発明にて引ったくりに有効なる防犯用握りを得ることができる。
【図面の簡単な説明】
【０００９】
【図１】本発明の平面図
【図２】本発明の正面図
【図３】本発明の拡大左側面図
【図４】本発明の拡大右側面図
【図５】本発明の要部構造説明図（縦断面）
【図６】本発明の使用状態説明図
【符号の説明】
【００１０】  １  握り本体
１ａ  上部中空部
１ｂ  下部中空部
２  中央凸部
３  押圧スイッチ
４  前方凸部
５  押圧スイッチ
６  下方凸部
７  内部スイッチ
８  接触子
９  小環体
１０発音箱
１１外箱
１２内箱
１３電池部
１４制御部
１５停止スイッチ
１６保持板
１７雄ネジ
１８紐
１９手提げベルト部
２０貫通孔
【図１】
2005276147.tif 000003
【図２】
2005276147.tif 000004
【図３】
2005276147.tif 000005
【図４】
2005276147.tif 000006
【図５】
2005276147.tif 000007
【図６】
2005276147.tif 000008